(57)【要約】【課題】  本発明は、傾斜板と切削具との組み合わせによって段差のないスムーズな敷居溝の深さ調整を行うことができる建具の建付け方法およびそれに用いる装置を提供することを目的とするものである。【解決手段】  本発明は、敷居２の溝４底面を削り、建具３の建付け調整を行う方法において、前記敷居２の溝４上に沿って開口部７が開設される板状の案内板部６を柱１と敷居２とのコーナー部Ａに向けて下り勾配となるように架設する工程と、下面に一定長さの切削刃８が突出される溝底面切削装置１０を、前記案内板部６の開口部７内に該切削刃８を挿入した状態で前記コーナー部Ａに向けて進行させることにより溝４底面を該切削刃８によって削り取る工程を備える。【選択図】      図３
2007016530.tif 000002
【特許請求の範囲】
【請求項１】
敷居の溝底面を削り、建具の建付け調整を行う方法において、
前記敷居の溝上に沿って開口部が開設される板状の案内板部を柱と敷居とのコーナー部に向けて下り勾配となるように架設する工程と、
下面に一定長さの切削刃が突出される溝底面切削装置を、前記案内板部の開口部内に該切削刃を挿入した状態で前記コーナー部に向けて進行させることにより溝底面を該切削刃によって削り取る工程を備える
ことを特徴とする請求項１記載の建具の建付け方法。
【請求項２】
前記開口部に敷居の溝内に係留する係留板を設ける
ことを特徴とする請求項１記載の建具の建付け方法。
【請求項３】
前記切削刃が駆動モーターによって駆動回転する如き構成とする
ことを特徴とする請求項１または２記載の建具の建付け方法。
【請求項４】
前記切削刃を適宜手段によって上下動自在とする
ことを特徴とする請求項１、２または３記載の建具の建付け方法。
【請求項５】
敷居の溝底面を削り、建具の建付け調整を行う装置において、
敷居の溝上に沿って開口部が開設されると共に、柱と敷居とのコーナー部に向けて下り勾配となるように形成され、かつ、前記開口部端に前記敷居の溝内に係留する係留部が設けられる案内板部と、
下面に駆動モーターによって駆動回転する切削刃が突出され、該切削刃を前記案内板部の開口部内に挿入した状態で開口部に沿って前記コーナー部に進行させることにより溝底面を該切削刃によって削り取る溝底面切削装置とから構成される
ことを特徴とする建具の建付け装置。
【請求項６】
前記切削刃が前記溝底面切削装置の側端の前後にそれぞれ配置される
ことを特徴とする請求項５記載の建具の建付け装置。
【請求項７】
前記切削刃を適宜手段によって上下動自在とする
ことを特徴とする請求項５または６記載の建具の建付け装置。
【発明の詳細な説明】
【技術分野】
【０００１】
本発明は建具の建付け方法およびそれに用いる装置に関する。詳しくはふすまや障子などの建具の建付け具合を調整するために敷居の溝深さを調整する方法および装置に係るものである。
【背景技術】
【０００２】
従来より障子やふすまなどの建具は、専門の業者が製作し、家屋が完成した後に納入して建付けを行う。また、敷居の溝は予め電動鉋などによって一定深さに切削された後に取り付けられる。
【０００３】
そこで、敷居と柱との間に建具を建て付ける場合には、敷居と柱とが直角の状態であるならば建具と柱とは隙間のない状態となるが、柱と梁などを組み立てる木造家屋の場合では敷居と柱とが直角に建てられることが殆ど無く、建具と柱との間に隙間が生じることになり、この柱との隙間に応じて建具職人が間際の敷居の溝深さをノミなどの手動切削具によって削って建付けの調整を行っているのが現状である。
【０００４】
いっぽう、既設の柱や床とのコーナー部分を削り残しのない鉋仕上げをすることができる鉋システムとして図１０に示すものがある。この鉋システムはレール部材１０１と、該レール部材１０１を柱１０２の表面１０３に対して一定の距離を隔てて略並行するよう懸架する複数の支持部材１０４と、レール部材１０１と係合される鉋部材１０５とを備え、鉋部材１０５はレール部材１０１に沿って柱１０２の表面１０３上を移動可能であり、かつ、鉋部材１０５の進行方向最先端に下刃１０６が取付けられ構成とされる（特許文献１参照。）。
【０００５】
【特許文献１】特開平７−２４６６０７号（要約書、第１図）
【発明の開示】
【発明が解決しようとする課題】
【０００６】
しかしながら既設の敷居の溝深さを調整するためにノミなどの手工具によって削りながらの調整をするのは経験と豊富な技術が必要であり非常に煩雑な作業となる問題があった。
【０００７】
また、前述した鉋システムではコーナー部分の柱の表面を一様に削り取ることは容易ではあるが、敷居の溝幅は狭く、かつその底面を一様ではなく段階的に深く削り取ることは不可能である。
【０００８】
さらに、敷居の溝底面を削る場合には段差をつけることなく徐々に傾斜を付けるようにして深さを調整しなければならず、しかもその深さは１ｍｍから３ｍｍ程度の幅であるために前記のような自動式の鉋では困難となる問題がある。
【０００９】
本発明は、以上の点に鑑みて創案されたものであって、傾斜板と切削具との組み合わせによって段差のないスムーズな敷居溝の深さ調整を行うことができる建具の建付け方法およびそれに用いる装置を提供することを目的とするものである。
【課題を解決するための手段】
【００１０】
上記の目的を達成するために、本発明に係る建具の建付け方法は、敷居の溝底面を削り、建具の建付け調整を行う方法において、前記敷居の溝上に沿って開口部が開設される板状の案内板部を柱と敷居とのコーナー部に向けて下り勾配となるように架設する工程と、下面に一定長さの切削刃が突出される溝底面切削装置を、前記案内板部の開口部内に該切削刃を挿入した状態で前記コーナー部に向けて進行させることにより溝底面を該切削刃によって削り取る工程を備える。
【００１１】
ここで、敷居の溝に沿って開口部が設けられる案内板部を柱と敷居とのコーナー部に設置し、開口部内に切削刃を挿入した状態でコーナー部側へ進行させることによって溝底面を確実に削ることが可能となる。
【００１２】
また、切削刃を上下動調整可能とすることによって溝底面の削り深さを自在に調整することができ、微妙な建付け具合をすることが可能となる。
【００１３】
また、上記の目的を達成するために、本発明に係る建具の建付け装置は、敷居の溝底面を削り、建具の建付け調整を行う装置において、敷居の溝上に沿って開口部が開設されると共に、柱と敷居とのコーナー部に向けて下り勾配となるように形成され、かつ、前記開口部端に前記敷居の溝内に係留する係留部が設けられる案内板部と、下面に駆動モーターによって駆動回転する切削刃が突出され、該切削刃を前記案内板部の開口部内に挿入した状態で開口部に沿って前記コーナー部に進行させることにより溝底面を該切削刃によって削り取る溝底面切削装置とから構成される。
【００１４】
ここで、溝に沿って開口部が形成される案内板部と、該開口部内に挿入される切削刃が下面に突設される溝底面切削装置とから構成されることによって、案内板部を柱と敷居とのコーナー部に設置し、該開口部内に溝底面切削装置の切削刃を挿入し、該切削刃を駆動回転させながら進行させることで溝底面を確実に削ることが可能となる。
【発明の効果】
【００１５】
以上述べてきたように本発明によれば、柱と敷居とのコーナー部に向かって傾斜させた案内板に沿って切削刃によって敷居溝底面を削り取ることによって段差のないスムーズな深さ調整を行うことが可能となる。
【００１６】
また、敷居溝に沿って開口部が設けられる案内板によって切削刃がズレルことなく、かつ切削刃の高さ位置を加減することによって精度の高い溝底面の削り取りが可能となり、初心者であっても失敗のない建付け合わせを行うことが可能となる。
【発明を実施するための最良の形態】
【００１７】
以下、本発明の実施の形態を図面を参酌しながら説明し、本発明の理解に供する。
図１に、本発明を適用した建具の建付け方法における敷居と建具の一例を示す説明図である。
【００１８】
ここで、柱１、１間の敷居２上に建付けられる障子や襖などの建具３は、敷居２上面に鉋などによって刻設される一定深さの溝４内に建具３の底部に設けられる段差部５を嵌め入れて前後方向に摺動させるものである。
【００１９】
そこで、敷居２に対して建具３は直角状に建てられるために、例えば敷居２に対し柱１との角度が９０度以上となった場合には、建具３と柱１との隙間が上部に向かうに従い大きくなる。
【００２０】
この場合には図２中の想像線で示すように、敷居２の溝４底面を削り取ることによって建具３を前傾させて柱１と建具３との隙間を無くす建付け調整が行われる。
【００２１】
この建付け具合の調整として図３（イ）（ロ）にそれぞれ示すように、敷居２上に案内板部６を取り付ける。この案内板部６は敷居２の溝４に沿って溝４幅の開口部７が開設され、その先端を柱１と敷居２とのコーナー部Ａに当接され、その基端が敷居２より約３ｍｍ高さとなるような傾斜角度を持って形成される。
【００２２】
そして前記案内板部６の開口部７内に挿入可能とした切削刃８が前後端に設けられる溝底面切削装置１０を用い、前記案内板部６の開口部７内に切削刃８を挿入した状態で案内板部６上面の基端より先端側へ溝底面切削装置１０を摺動させる。
【００２３】
これにより図４に示すように、溝底面切削装置１０が案内板部６上面の先端側へ移動することによって、溝底面切削装置１０の下部に設けられる切削刃８が敷居２の溝４底面に徐々に当接することにより溝４底面が削り取られながら案内板部６先端まで移動することにより溝４底面の深さ調整が容易に行うことができる。
【００２４】
また、溝４底面の深さ調整は前記溝底面切削装置１０の下部に設けられる切削刃８を上下調整自在とすることによって容易に行うことができる。
【００２５】
また、前記切削刃８は電動モーターによって駆動回転させて溝底面を削り取る機構とすることが望ましいが、例えば鉋刃を前端下部に設けて溝底面を削り取る機構であっても構わない。
【００２６】
次に、例えば図５に示すように一枚の建具３による開け閉めを行う場合には、敷居２に形成される溝４の半分側は壁１１の間際となる。したがって、切削刃８が溝底面切削装置１０の前端中央に設けられる場合では、溝底面切削装置１０の側端が壁１１面に当接することで溝４底面の切削が不可能となる。
【００２７】
そこで建具３を切削刃８を溝底面切削装置１０の進行方向に対していずれかの左右側の前後端に設けることによって、解放状に敷居２に対しては図３（ロ）で示すような状態での溝４底面の切削を行うことができ、壁１１際の溝４に対しては溝底面切削装置１０を反転させることで切削刃８のみが溝４に沿って配置されることになり、支障なく溝４底面の切削を行うことができる。
【００２８】
図６および図７（イ）、（ロ）に、本発明を適用した建具の建付け装置の一例を示す斜視図である。
ここで示す溝底面切削装置１０は、底面１５が平板状とされるケース１２内の前後にそれぞれ駆動モーター１３が配置され、それぞれの駆動モーター１３の駆動軸１４が前記ケース１２の底面１５の一端側から突出され、この駆動軸１４に溝４内に挿入可能な径を有する切削刃８が装着される。
【００２９】
さらに、前記駆動軸１４に装着される切削刃８は、適宜手段によって上下方向に調整自在な機構とするものである。
【００３０】
また、ケース１２の上面には電源スイッチ１６およびそれぞれの駆動モーター１３のＯＮ・ＯＦＦ操作を行う操作スイッチ１７、１７が設けられる。
さらに、ケース１２内には前記駆動モーター１３が設けられ、家庭用コンセントに接続される電気コード１８が電源スイッチ１６および操作スイッチ１７に配線されることで、電源スイッチ１６を入れた状態で、いずれかの操作スイッチ１７をＯＮとすることによって切削刃８を駆動回転させる機構とするものである。
【００３１】
また、ケース１２の下部には、案内板部６の溝４に沿って配設される係合用側板２０に前記ケース１２が嵌合されることで左右に振れることなく進行させることができる。
【００３２】
なお、本実施例では必ずしも家庭用電源によって駆動させる機構とする必要性は無く、例えば電池などを内包する機構であっても構わない。
【００３３】
次に図７（イ）、（ロ）に案内板部６を示すものであり、ここで示す案内板部６は、柱と敷居とのコーナーに向けて敷居上より、３ｍｍほどの位置高さから順次その厚さが薄くなるように傾斜面が形成されるとともに、金属板などを打ち抜き、折り曲げて形成するものであり、敷居２幅内とした一定長さの平板に敷居２の溝４幅とした開口部７が開設される。
【００３４】
そして開口部７の先端両側端と基端両側端に、それぞれ敷居２の溝４内に嵌入される係留板１９が下方に突設され、さらに、これらの係留板１９にビス孔２２が穿孔される。
【００３５】
そして係留板１９をビスなどによって敷居２の溝４内に固定することにより開口部７は溝４に沿って固定され溝底面切削装置１０が左右に振れることなく進行させることが可能となる。
【００３６】
また、案内板部６の溝４に沿って、その両側に係合用側板２０が配設される。この係合用側板２０間幅は、溝底面切削装置１０のケース１２幅とされる。そして係合用側板２０間に溝底面切削装置１０のケース１２を嵌め入れることにより、前記溝底面切削装置１０のケース１２は左右に振れることなく敷居２の溝４底面を削り取ることが可能となる。
この場合には、ケース１２上端に設けられる取っ手２１を持ちながら溝底面切削装置１０を下方に押えながら進行させることにより確実に敷居２の溝４底面を削り取ることが可能となる。
【００３７】
以上の構成よりなる本発明の建具の建付け装置では、図４で詳述したように、案内板部６の開口部７が敷居２の溝４に沿って位置するように係留板１９を溝４内に嵌め入れ、その先端を柱１と敷居２とのコーナー部Ａに当接させた状態でビス２３によって係留板１９を溝４内に固定する。
【００３８】
そして溝底面切削装置１０の先端側となる切削刃８の上下調整を行い、前記コーナー部Ａ近傍の溝４の削り面の調整の準備を行う。
【００３９】
次に、前記溝底面切削装置１０の切削刃８を開口部７内に挿入し、電源スイッチ１６を入れる。そして前記溝底面切削装置１０の先端側の切削刃８を駆動回転させるために先端側操作スイッチ１７をＯＮにして切削刃８を駆動回転させながら前記溝底面切削装置１０を開口部７に圧接しながら柱１と敷居２とのコーナー部Ａ側へ進行させる。
【００４０】
ここで、案内板部６は基端側から先端側に向けて下り勾配とされるために、前記溝底面切削装置１０を進行させるにしたがって前記切削刃８が溝４底面に接することとなり、さらに進行させることで前記溝４底面を所定の深さに削りとることが可能となる。
【００４１】
この場合には、開口部７が溝４に沿って係留板１８によって固定されるために前記溝底面切削装置１０が左右に振れることなく正確に溝４底面を削り取ることが可能となる。
【００４２】
また、前記切削刃８は溝底面切削装置１０の側端に沿って配置されており、例えば図５に示すように壁１１側の溝４底面の建て付け調整を行う場合には、前記溝底面切削装置１０を反転させることで幅の狭くなった敷居２上での溝４底面の削り取りを行うことが可能となる。
【００４３】
なお、本実施例では切削刃を前後端に設けることによって図５に示すような場合に対応できる構成とするものであるが、例えば切削刃を前後方向へ移動可能な機構とすれば必ずしも２個設ける必要性はない。
【００４４】
さらに本実施例で示す案内板部は必ずしも金属板で形成される必要性はなく、例えば硬質プラスチックなどの合成樹脂板など軽量、かつ強度に優れたものであればいかなる素材であっても構わない。
【００４５】
また、図８（イ）（ロ）でそれぞれ示すように、例えば柱１に対して建具３の下部に隙間が生じる場合には、柱１と敷居２とのコーナー部の溝４底面にくさび形状の溝高さ調整板２４を両面テープなどによって貼着することにより建具３の柱１側端を持ち上げて隙間を修正できる構成とする。
【００４６】
さらに、図９（イ）（ロ）でそれぞれ示すように、例えば柱１に対して建具３の上部に隙間が生じ、本発明の溝底面切削装置１０と案内板部６との組み合わせによって柱１と敷居２とのコーナー部の溝４底面を削り取る以上の修正が必要となる場合には、建具３の後端位置となる溝４底面に山形状の溝高さ調整板２４を両面テープなどによって貼着することにより建具３の後端を持ち上げて隙間を修正できる構成とする。
【００４７】
なお、前記溝４底面に溝高さ調整板２３を両面テープなどによって貼着した後に、溝４底面に前記溝高さ調整板２３をビニールなどによって覆うことで外観上支障のない構成とする。
【図面の簡単な説明】
【００４８】
【図１】本発明を適用した建具の建付け方法における敷居と建具の一例を示す説明図である。
【図２】図１における敷居の溝底面の切削予定状態を示す説明図である。
【図３】本発明を適用した建具の建付け方法の一例を示す説明図である。
【図４】図３における溝底面の切削状態を示す説明図である。
【図５】敷居に壁面を有する場合における建具の建付け方法の一例を示す説明図である。
【図６】本発明を適用した建具の建付け装置の一例を示す説明図である。
【図７】本発明を適用した建具の建付け方法の他の例を示す説明図である。
【図８】本発明を適用した建具の建付け方法における補足の例を示す説明図である。
【図９】本発明を適用した建具の建付け方法における補足の他の例を示す説明図である。
【図１０】従来の鉋システムの一例を示す説明図である。
【符号の説明】
【００４９】
１      柱
２      敷居
３      建具
４      溝
５      段差部
６      案内板部
７      開口部
８      切削刃
１０    溝底面切削装置
１１    壁
１２    ケース
１３    駆動モーター
１４    駆動軸
１５    底面
１６    電源スイッチ
１７    操作スイッチ
１９    係留板
２０    係合用側板
２１    取っ手
２２    ビス孔
２３    ビス
２４    溝高さ調整板
【図１】
2007016530.tif 000003
【図２】
2007016530.tif 000004
【図３】
2007016530.tif 000005
【図４】
2007016530.tif 000006
【図５】
2007016530.tif 000007
【図６】
2007016530.tif 000008
【図７】
2007016530.tif 000009
【図８】
2007016530.tif 000010
【図９】
2007016530.tif 000011
【図１０】
2007016530.tif 000012